【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
現像剤受入れ装置に着脱可能な現像剤補給容器において、
現像剤を収容する収容部と、
前記収容部内の現像剤を排出させる回転可能な排出部材と、
前記現像剤受入れ装置の駆動部材と係合可能に設けられ前記排出部材へ駆動力を伝達する駆動伝達部材と、
前記駆動伝達部材が前記駆動部材から受けた駆動力により前記現像剤補給容器を現像剤補給位置に向けて回動させるため前記現像剤補給容器と前記駆動伝達部材間の相対回転を抑制させるとともにこの抑制させる抑制力を低減することが可能な抑制手段と、
を有することを特徴とする現像剤補給容器。
【請求項２】
前記抑制手段は、前記駆動伝達部材に回動負荷を付与するための負荷付与機構と、前記負荷付与機構による回動負荷を解除するための解除機構と、を有することを特徴とする請求項１の現像剤補給容器。
【請求項３】
前記負荷付与機構は回動負荷を付与する作動位置と回動負荷を解除する解除位置とに移動可能な負荷付与部材を有し、前記解除機構は前記駆動伝達部材が前記駆動部材から受けた駆動力により前記現像剤補給容器に対して相対回転することに伴い前記負荷付与部材を前記作動位置から前記解除位置へと移動させる解除部を有することを特徴とする請求項２の現像剤補給容器。
【請求項４】
前記駆動伝達部材と前記排出部材間の駆動伝達を中継する駆動中継部材を有し、前記負荷付与機構は前記駆動中継部材を介して前記駆動伝達部材へ回動負荷を付与し、前記解除部は前記現像剤補給位置にて回動が停止された前記現像剤補給容器に対し回動可能な前記駆動中継部材に設けられていることを特徴とする請求項３の現像剤補給容器。
【請求項５】
前記駆動伝達部材は前記現像剤補給容器の回動中心から偏心した位置を中心に回動可能となるように前記現像剤補給容器に支持されており、前記駆動中継部材は前記現像剤補給容器の回動中心を中心に回動可能となるように前記現像剤補給容器に支持されていることを特徴とする請求項４の現像剤補給容器。
【請求項６】
前記負荷付与機構は回動負荷を付与する作動位置と回動負荷を解除する解除位置とに移動可能な負荷付与部材を有し、前記解除機構は前記負荷付与部材に設けられた解除部を有し、前記解除部が前記現像剤受入れ装置の解除手段から受けた力により前記負荷付与部材が前記作動位置から前記解除位置へ移動するように構成されていることを特徴とする請求項２の現像剤補給容器。
【請求項７】
前記抑制手段は前記駆動伝達部材をロックするロック位置とロック解除位置とに移動可能なロック部材を有し、前記現像剤補給容器の前記現像剤補給位置への回動動作に伴い前記ロック部材が前記現像剤受入れ装置の解除手段から受けた力により前記ロック位置から前記解除位置へと移動するように構成されていることを特徴とする請求項１の現像剤補給容器。
【請求項８】
前記駆動伝達部材と前記排出部材間の駆動伝達を中継する駆動中継部材を有し、前記ロック部材は前記駆動中継部材を介して前記駆動伝達部材をロックすることを特徴とする請求項７の現像剤補給容器。
【請求項９】
前記駆動伝達部材は前記現像剤補給容器の回動中心から偏心した位置を中心に回転可能となるように前記現像剤補給容器に支持されていることを特徴とする請求項１乃至８のいずれかの現像剤補給容器。
【請求項１０】
前記抑制手段は前記駆動伝達部材を前記現像剤補給容器に固定するための螺旋状のネジ部を有し、前記ネジ部は前記駆動部材から受けた駆動力により緩み可能に設けられていることを特徴とする請求項１の現像剤補給容器。
【請求項１１】
前記駆動伝達部材は前記現像剤受入れ装置に挿入された状態にある前記現像剤補給容器の回動動作に伴い前記駆動部材と係合可能となるように設けられていることを特徴とする請求項１乃至１０のいずれかの現像剤補給容器。
【請求項１２】
前記駆動伝達部材は前記現像剤補給容器の前記現像剤受入れ装置への挿入動作に伴い前記駆動部材と係合可能となるように設けられていることを特徴とする請求項１乃至１０のいずれかの現像剤補給容器。
【請求項１３】
前記抑制手段により相対回転が抑制された状態のときの前記現像剤補給容器に対する前記駆動伝達部材の回動負荷は前記現像剤補給容器が前記現像剤受入れ装置から受ける回動抵抗力よりも大きく、前記抑制手段による抑制力が低減された状態のときの前記現像剤補給容器に対する前記駆動伝達部材の回動負荷は前記現像剤補給容器が前記現像剤受入れ装置から受ける前記回動抵抗力よりも小さいことを特徴とする請求項１乃至１２のいずれかの現像剤補給容器。
【請求項１４】
前記抑制手段により相対回転が抑制された状態のときの前記現像剤補給容器に対する前記駆動伝達部材の回動負荷は０．０５Ｎ・ｍ以上１．０Ｎ・ｍ以下であり、前記抑制手段による抑制力が低減された状態のときの前記現像剤補給容器に対する前記駆動伝達部材の回動負荷は０．０５Ｎ・ｍ未満であることを特徴とする請求項１乃至１２のいずれかの現像剤補給容器。
【請求項１５】
前記現像剤受入れ装置の現像剤受入れ口を開閉するシャッタと係合可能に設けられ、前記現像剤補給容器の前記現像剤補給位置への回動動作に前記シャッタの開動作を連動させる連動部を有することを特徴とする請求項１乃至１４のいずれかの現像剤補給容器。
【請求項１６】
前記連動部は前記現像剤補給容器の前記現像剤補給位置から交換位置への回動動作に前記シャッタの閉動作を連動させることを特徴とする請求項１５の現像剤補給容器。
【請求項１７】
前記現像剤補給容器の前記現像剤補給位置への回動動作に伴い前記現像剤受入れ口と連通するように前記収容部の周面に設けられた現像剤排出口を有することを特徴とする請求項１５又は１６の現像剤補給容器。
【請求項１８】
前記駆動伝達部材は前記駆動部材から受けた駆動力により前記収容部が前記現像剤補給位置に向けて回動するように設けられていることを特徴とする請求項１乃至１７のいずれかの現像剤補給容器。
【請求項１９】
前記収容部の周りを回転可能に設けられ現像剤排出口が形成された筒部を有し、前記駆動伝達部材は前記駆動部材から受けた駆動力により前記筒部が前記現像剤補給位置に向けて回動するように設けられていることを特徴とする請求項１乃至１７のいずれかの現像剤補給容器。
【請求項２０】
前記駆動伝達部材は前記駆動部材の歯部と噛合い可能な歯部を有することを特徴とする請求項１乃至１９のいずれかの現像剤補給容器。
【請求項２１】
前記駆動伝達部材はギアであることを特徴とする請求項２０の現像剤補給容器。
【請求項２２】
現像剤受入れ装置に着脱可能な現像剤補給容器において、
現像剤を収容する収容部と、
前記収容部内の現像剤を排出させる回転可能な排出部材と、
前記現像剤受入れ装置の駆動部材と係合可能に設けられ前記排出部材へ駆動力を伝達する駆動伝達部材と、
前記駆動伝達部材が前記駆動部材から受けた駆動力により前記収容部を現像剤補給位置に向けて回動させるため前記駆動伝達部材に回動負荷を付与する負荷付与機構と、
前記負荷付与機構による回動負荷を解除するための解除機構と、
を有することを特徴とする現像剤補給容器。
【請求項２３】
前記負荷付与機構は回動負荷を付与する作動位置と回動負荷を解除する解除位置とに移動可能な負荷付与部材を有し、前記解除機構は前記駆動伝達部材が前記駆動部材から受けた駆動力により前記収容部に対して相対回転することに伴い前記負荷付与部材を前記作動位置から前記解除位置へと移動させる解除部を有することを特徴とする請求項２２の現像剤補給容器。
【請求項２４】
前記駆動伝達部材と前記排出部材間の駆動伝達を中継する駆動中継部材を有し、前記負荷付与部材は前記駆動中継部材を介して前記駆動伝達部材へ回動負荷を付与し、前記解除部は前記現像剤補給位置にて回動が停止された前記収容部に対し回動可能な前記駆動中継部材に設けられていることを特徴とする請求項２３の現像剤補給容器。
【請求項２５】
前記駆動伝達部材は前記収容部の回動中心から偏心した位置を中心に回動可能となるように前記収容部に支持されており、前記駆動中継部材は前記収容部の回動中心を中心に回動可能となるように前記収容部に支持されていることを特徴とする請求項２４の現像剤補給容器。
【請求項２６】
前記負荷付与機構は回動負荷を付与する作動位置と回動負荷を解除する解除位置とに移動可能な負荷付与部材を有し、前記解除機構は前記負荷付与部材に設けられた解除部を有し、前記解除部が前記現像剤受入れ装置の解除手段から受けた力により前記負荷付与部材が前記作動位置から前記解除位置へと移動するように構成されていることを特徴とする請求項２２の現像剤補給容器。
【請求項２７】
現像剤受入れ装置に着脱可能な現像剤補給容器において、
現像剤を収容する収容部と、
前記収容部内の現像剤を排出させる回転可能な排出部材と、
前記現像剤受入れ装置の駆動部材と係合可能に設けられ前記排出部材へ駆動力を伝達する駆動伝達部材と、
前記駆動伝達部材が前記駆動部材から受けた駆動力により前記収容部を現像剤補給位置に向けて回動させるため前記駆動伝達部材をロックするロック位置とロック解除位置とに移動可能なロック部材と、を有し、
前記収容部の前記現像剤補給位置への回動動作に伴い前記ロック部材が前記現像剤受入れ装置の解除手段から受けた力により前記ロック位置から前記解除位置へと移動するように構成したことを特徴とする現像剤補給容器。
【手続補正２】
【補正対象書類名】明細書
【補正対象項目名】００１３
【補正方法】変更
【補正の内容】
【００１３】
上記目的を達成するための本発明の代表的な手段は、現像剤受入れ装置に着脱可能な現像剤補給容器において、現像剤を収容する収容部と、前記収容部内の現像剤を排出させる回転可能な排出部材と、前記現像剤受入れ装置の駆動部材と係合可能に設けられ前記排出部材へ駆動力を伝達する駆動伝達部材と、前記駆動伝達部材が前記駆動部材から受けた駆動力により前記現像剤補給容器を現像剤補給位置に向けて回動させるため前記現像剤補給容器と前記駆動伝達部材間の相対回転を抑制させるとともにこの抑制させる抑制力を低減することが可能な抑制手段と、を有することを特徴とする。